(57)【特許請求の範囲】
【請求項１】
デジタル放送を受信する受信復調部と、この受信復調部を制御してチャンネルを切り換える制御部と、チャンネルを切り換えるためのキーを有する操作部とを備えたデジタル放送受信機において、
前記操作部に、それぞれの放送局を順次選局するためのアップダウンキーを設け、
前記制御部は、前記アップダウンキーが操作されたとき、それぞれの放送局における複数チャンネルの内の特定の１チャンネルのみを順次切り換えるよう構成したことを特徴とするデジタル放送受信機。
【請求項２】
前記特定の１チャンネルとは、それぞれの放送局内のチャンネルの内、最も番号の小さいチャンネルであることを特徴とする請求項１記載のデジタル放送受信機。
【発明の詳細な説明】
【０００１】
【発明の属する技術分野】
本発明は、デジタル放送を受信するデジタル放送受信機に係り、特に、１つの放送局より放送されるチャンネル数が時間帯によって変更される場合でも操作性よく選局することができるデジタル放送受信機に関する。
【０００２】
【従来の技術】
デジタル放送においては、衛星の１つのトランスポンダによって複数のチャンネルを送信することができることから、多チャンネルの放送が可能である。近々放送される予定のＢＳデジタル放送においても、数百という多チャンネル放送が想定されている。ＢＳデジタル放送では、４８スロットよりなる１つのトランスポンダを複数に分けて、それぞれの放送局に割り当てている。
【０００３】
また、ＢＳデジタル放送では、通常のテレビジョン放送（以下、ＳＤＴＶ）と高精細のテレビジョン放送（以下、ＨＤＴＶ）とのいずれかが放送される。それぞれのテレビジョン放送局には２２スロットが割り当てられており、ＨＤＴＶは２２スロットを用いて放送される。ＳＤＴＶの放送に必要なスロット数はＨＤＴＶよりも少ないので、２２スロットで３チャンネル程度のＳＤＴＶの放送が可能である。
【０００４】
ＳＤＴＶには、走査線４８０本のインターレース（以下、４８０ｉ）と、走査線４８０本の順次走査（以下、４８０ｐ）がある。ＨＤＴＶは、走査線１０８０本のインターレース（以下、１０８０ｉ）である。また、ＳＤＴＶの２チャンネル分を用いて、走査線７２０本の順次走査（以下、７２０ｐ）の放送の可能性もある。
【０００５】
このように、デジタル放送においては、ＨＤＴＶとＳＤＴＶとの双方の方式が存在することから、ある放送局ではＨＤＴＶを放送し、他のある放送局ではＳＤＴＶを放送するというＨＤＴＶとＳＤＴＶとの混在がある得る。また、１つの放送局から放送される場合でも、時間帯によってはＨＤＴＶだけであったり、ＳＤＴＶだけであったりするので、１つの放送局内でも時間帯の違いによるＨＤＴＶとＳＤＴＶとの混在があり得る。従って、実際に放送されるチャンネル数は、放送局や時間帯によって弾力的に運用され、変更されることになる。以下、これをまだら編成と称することとする。
【０００６】
図４はまだら編成の一例を示している。ここでは、Ｃ局の時間帯毎の放送内容を示している。Ｃ局にはＢＳの３０１〜３０３チャンネルが割り当てられているとする。図４において、１８：００〜１９：００の時間帯では、３０１〜３０３チャンネルそれぞれでＳＤＴＶの放送が行われる。ここでは、３０１〜３０３チャンネルそれぞれがＣ局内での番組の違いを表すＣ局−１，Ｃ局−２，Ｃ局−３となっている。１９：００〜２０：００の時間帯では、ＳＤＴＶの２チャンネル分を用いた放送と、ＳＤＴＶの１チャンネルの放送が行われる。ここでは、便宜上、３０１チャンネルと３０２チャンネルと呼び、それぞれがＣ局−１，Ｃ局−２となる。この時間帯においては、見掛け上、３０３チャンネルは放送されていない。
【０００７】
さらに、２０：００〜２１：００の時間帯では、ＳＤＴＶの３チャンネル分を用いたＨＤＴＶの放送が行われる。ここでは、便宜上、３０１チャンネルと呼び、これはＣ局−１となる。この時間帯においては、見掛け上、３０２チャンネルと３０３チャンネルは放送されていない。２１：００〜２２：００の時間帯の運用は、１９：００〜２０：００の時間帯における運用と同一である。このように、まだら編成の運用がなされると、１つの放送局において、ある時間帯では全てのチャンネルで放送が行われたり、別のある時間帯では一部のチャンネルのみで放送が行われ、他のチャンネルでは放送が行われないということが発生する。
【０００８】
【発明が解決しようとする課題】
デジタル放送において、まだら編成が運用された場合のチャンネル切換について考える。一般的なチャンネル切換としては、テンキーによって所望のチャンネルを直接選局するものと、アップダウンキーによってチャンネルを順次切り換えて所望のチャンネルを選局するものがある。まだら編成が運用されたデジタル放送において、テンキーによって所望のチャンネルを直接選局する場合、そのチャンネルがその時間帯では放送を行っていない休止チャンネルであった場合には、他のチャンネルに切り換え直すという余分な手間が発生する。また、デジタル放送は多チャンネルであるため、チャンネル番号を覚えておくことが困難であり、テンキーによる選局はそもそも困難である。
【０００９】
一方、まだら編成が運用されたデジタル放送において、アップダウンキーによって選局した場合でも、そのチャンネルがその時間帯では放送を行っていない休止チャンネルであった場合には、他のチャンネルに切り換え直すという余分な手間が発生する。休止チャンネルを自動的にスキップさせる処理を行った場合には、休止チャンネルであることを識別する時間がかかるので、休止チャンネルが存在していない放送局と休止チャンネルが存在している放送局とでは、アップダウンキーによる選局スピードに差が生じ、非常に操作性が悪くなってしまう。
【００１０】
このように、放送されるチャンネル数が時間帯によって変更されるデジタル放送において、従来の選局方法をそのまま用いると選局のスピードが遅かったり、、選局の操作性が悪くユーザが戸惑ってしまったり、使い勝手に優れないという問題点があった。
【００１１】
本発明はこのような問題点に鑑みなされたものであり、放送されるチャンネル数が時間帯によって変更されるデジタル放送において、選局のスピードを早くすることができ、操作性に優れた選局を行うことができるデジタル放送受信機を提供することを目的とする。
【００１２】
【課題を解決するための手段】
本発明は、上述した従来の技術の課題を解決するため、デジタル放送を受信する受信復調部（２）と、この受信復調部を制御してチャンネルを切り換える制御部（６）と、チャンネルを切り換えるためのキーを有する操作部（７，８）とを備えたデジタル放送受信機において、前記操作部に、それぞれの放送局を順次選局するためのアップダウンキー（８４）を設け、前記制御部は、前記アップダウンキーが操作されたとき、それぞれの放送局における複数チャンネルの内の特定の１チャンネルのみを順次切り換えるよう構成したことを特徴とするデジタル放送受信機を提供するものである。
【００１３】
【発明の実施の形態】
以下、本発明のデジタル放送受信機について、添付図面を参照して説明する。図１は本発明のデジタル放送受信機の一実施例を示すブロック図、図２は本発明のデジタル放送受信機で用いるリモコン送信機の一例を示す図、図３は本発明のデジタル放送受信機の動作を説明するための図である。
【００１４】
図１において、アンテナ１より入力されたデジタル放送波は、受信復調部２によって受信され、伝送過程において変調されていた信号が復調されてベースバンドのビットストリーム信号とされる。このビットストリーム信号がスクランプルのかかった信号であれば、デスクランブラ３によってスクランブルが解除され、デマルチプレクス／ＡＶデコード部４に入力される。デマルチプレクス／ＡＶデコード部４は、映像信号及び音声信号と番組情報等の付加情報とを分離し、映像信号及び音声信号をデコードして出力する。なお、ここでは、付加情報の処理については図示を省略している。
【００１５】
映像信号及び音声信号はＤＡコンバータ５に入力されてアナログ信号とされ、図示していない受像機やビデオテープレコーダへと供給される。マイクロプロセッサ６は、受信復調部２〜ＤＡコンバータ５やここでは図示していない回路各部を制御する。操作部７は受信機の本体に設けられたものであり、ユーザが操作部７を操作すると、操作部７からの信号はマイクロプロセッサ６に入力され、マイクロプロセッサ６は操作の対象とされた回路を制御する。ユーザがリモコン送信機８を操作すると、リモコン送信機８からの信号はマイクロプロセッサ６に入力され、マイクロプロセッサ６は操作の対象とされた回路を制御する。なお、リモコン送信機８も操作部である。
【００１６】
本発明のデジタル放送受信機では、操作部７もしくはリモコン送信機８の操作部に設けられたチャンネル切換（選局）のためのキーの配置及びそのキーを操作したときの動作に特徴がある。図２は、リモコン送信機８の一例を示している。ここでは、リモコン送信機８について示すが、同様なキーを操作部７に設けてもよい。
【００１７】
図２に示すように、リモコン送信機８は、従来と同様の“１”〜“０”よりなるテンキー８１と、チャンネルを順次アップもしくはダウンさせるアップダウンキー８２を備える。さらに、リモコン送信機８は、放送局毎に設けた放送局キー８３と、放送局を順次アップもしくはダウンさせるアップダウンキー８４を備える。放送局キー８３には、それぞれ、Ａ局，Ｂ局，Ｃ局…と放送局名を付している。テンキー８１やアップダウンキー８２を操作したときの動作は従来と同様である。本発明では、放送局キー８３やアップダウンキー８４を操作したときの動作に特徴がある。
【００１８】
図３において、（Ａ）は、放送局キー８３のいずれかのキーを押したときの動作を示しており、（Ｂ）は、アップダウンキー８４を押したときの動作を示している。まず、放送局キー８３を押した場合の動作について説明する。Ａ局〜Ｈ局のいずれかのキーを押し、そのキーを２回，３回…と複数回押すと、マイクロプロセッサ６は、そのキーに対応した放送局内でのみチャンネルをトグル的に順次切り換える。前述のように、１つの放送局内に最大３チャンネルが存在し、３チャンネル全てが放送されている場合には、図３（Ａ）のように、３つのチャンネルをトグル選局する。休止チャンネルがあれば、１または２チャンネルをトグル選局する。このようにすると、それぞれの放送局のチャンネル番号を覚えておく必要がない。
【００１９】
次に、アップダウンキー８４を押した場合の動作について説明する。アップダウンキー８４のアップもしくはダウンキーを押した場合には、マイクロプロセッサ６は、図３（Ｂ）に示すように、それぞれの放送局における特定の１チャンネルのみを順次切り換える。特定の１チャンネルとは、それぞれの放送局内のチャンネルの内、最も番号の小さいものとする。これは、それぞれの放送局における最も番号の小さいチャンネルは、休止チャンネルでない確立が高いからである。このようにすると、休止チャンネルであることを示す表示がなされてユーザが戸惑ってしまうことはない。アップダウンキー８４によってある放送局まで達し、その後、その放送局内の他のチャンネルを選局したい場合には、放送局キー８３やアップダウンキー８２を操作すればよい。
【００２０】
なお、本実施例では、放送局キー８３として、Ａ局〜Ｈ局それぞれに対応して合計８個設けたが、放送局キー８３の数は任意であり、全ての放送局を網羅する必要はない。主要な放送局を適宜に選択して設けた放送局キー８３であってもよく、また、放送局キー８３をプリセットキーとして、ユーザが好みの放送局を適宜にプリセットするよう構成してもよい。これらは全て本発明の範囲内である。本発明は以上説明した本実施例に限定されることはなく、本発明の要旨を逸脱しない範囲において種々変更可能である。
【００２１】
【発明の効果】
以上詳細に説明したように、本発明のデジタル放送受信機は、デジタル放送を受信する受信復調部と、この受信復調部を制御してチャンネルを切り換える制御部と、チャンネルを切り換えるためのキーを有する操作部とを備え、操作部に、それぞれの放送局を順次選局するためのアップダウンキーを設け、制御部は、アップダウンキーが操作されたとき、それぞれの放送局における複数チャンネルの内の特定の１チャンネルのみを順次切り換えるよう構成したので、放送されるチャンネル数が時間帯によって変更される、いわゆるまだら編成であっても、選局のスピードを早くすることができ、操作性に優れた選局を行うことができる。
【図面の簡単な説明】
【図１】本発明の一実施例を示すブロック図である。
【図２】本発明で用いるリモコン送信機の一例を示す図である。
【図３】本発明の動作を説明するための図である。
【図４】まだら編成の一例を示す図である。
【符号の説明】
１  アンテナ
２  受信復調部
３  デスクランブラ
４  デマルチプレクス／ＡＶデコード部
５  ＤＡコンバータ
６  マイクロプロセッサ（制御部）
７  操作部
８  リモコン送信機（操作部）
【図１】
0003664369.tif 000002
【図２】
0003664369.tif 000003
【図３】
0003664369.tif 000004
【図４】
0003664369.tif 000005